(57)【要約】【課題】本発明の目的は、ベアリングの機構や動きが良く分かるベアリング付き携帯品用ストラップを提供することにある。【解決手段】ベアリング付き携帯品用ストラップ１は、ベアリング４をストラップ本体２に取り付ける取付具５を備える。取付具５は、ベアリング４の内輪２１が規定する貫通穴２５に挿通される第１の部分４１と、第１の部分４１の両端部からそれぞれストラップ本体２を向いて延びるとともにストラップ本体２に連結される一対の第２の部分４２ａ，４２ｂとを有する。ベアリング４の内輪２１と取付具５の第１の部分４１との間には隙間Ｓ１が形成され、且つ、ベアリング４の外輪２２とストラップ本体２と間には隙間Ｓ２が形成されている。【選択図】      図１
2008161483.tif 000002
【特許請求の範囲】
【請求項１】
ストラップ本体と、
上記ストラップ本体の一端部に連結された接続紐と、
上記ストラップ本体の他端部に対向するとともに、互いに相対的に可動な内輪と外輪と複数の転動体とを有するベアリングと、
上記ベアリングを上記ストラップ本体に取り付ける取付具と、を備え、
上記取付具は、上記内輪が規定する貫通穴に挿通される第１の部分と、上記第１の部分の両端部からそれぞれ上記ストラップ本体を向いて延びるとともに上記ストラップ本体に連結される一対の第２の部分とを有し、
上記ベアリングの内輪と上記取付具の第１の部分との間には隙間が形成され、且つ、上記ベアリングの外輪と上記ストラップ本体と間には隙間が形成されていることを特徴とするベアリング付き携帯品用ストラップ。
【請求項２】
上記ストラップ本体を貫通するとともに、上記一対の第２の部分を互いに連結して上記取付具を上記ストラップ本体に連結するビスと、
上記ビスに貫通される上記ストラップ本体の領域に設けられるとともに、上記ビスが挿通されるはとめと、
を備えることを特徴とする請求項１に記載のベアリング付き携帯品用ストラップ。
【請求項３】
上記ストラップ本体は、本革で形成されることを特徴とする請求項１又は２に記載のベアリング付き携帯品用ストラップ。
【請求項４】
上記ベアリング付き携帯品用ストラップは、携帯電話用であることを特徴とする請求項１乃至３のいずれかに記載のベアリング付き携帯品用ストラップ。
【請求項５】
上記ベアリングは、上記複数の転動体の間隔を一定に保つ保持器を有することを特徴とする請求項１乃至４のいずれかに記載のベアリング付き携帯品用ストラップ。
【請求項６】
上記ベアリングの内輪および外輪の少なくともいずれか一方の端面には、少なくとも一つのマークが刻印されていることを特徴とする請求項１乃至５のいずれかに記載のベアリング付き携帯品用ストラップ。
【発明の詳細な説明】
【技術分野】
【０００１】
本発明は、例えば携帯電話、カメラ、電卓またはＵＳＢメモリのような携帯品に取り付けられるストラップに係り、特にベアリングを備えたストラップに関する。
【背景技術】
【０００２】
近年、携帯電話のような携帯品の普及に伴い、その携帯品に取り付けられる携帯品用ストラップも広く普及している。このような携帯品用ストラップは、本来は携帯品の吊り下げに用いるため、または不注意による落下防止のために取り付けられるものであったが、最近では種々のキャラクターなどがデザインされ、装飾的な意味合いを強くしている。
【０００３】
特許文献１には、可動するキャラクター部を備えた携帯電話等用のストラップが開示されている。このストラップは、携帯電話の本体に接続される紐部材と、ストラップ部材と、それらの間に介装されるキャラクター部材とを備える。このキャラクター部材は、その外側に突出するとともに、上記ストラップ部材を引いたり離したりすることで上下に動く可動部材を有する。
【０００４】
また特許文献２には、ナス環を有する取付具を備えた小型ストラップが開示されている。特許文献３には、ストラップを有する携行品を保持するホルダが開示されている。特許文献４には、連結金具を備えたカメラストラップが開示されている。
【特許文献１】登録実用新案第３０４３４４４号公報
【特許文献２】登録実用新案第３０４６７３８号公報
【特許文献３】登録実用新案第３０４２６０３号公報
【特許文献４】特開２００４−２３７０１１号公報
【発明の開示】
【発明が解決しようとする課題】
【０００５】
例えばベアリングのような汎用の工業製品は、種々の装置の中でこそ無数に使用されてはいるが、関係者以外の人間が目にする機会は少なく、一般には認識されていないことが多い。しかし、最近の身の廻りの科学の普及などで、ベアリング、歯車、ばね、真空管、発光ダイオード、ＬＳＩなどはその動きや模様などにキャラクター性や美観を有しており、それらの工業製品が用いられる機器とともに、これらの工業製品がもつ機能や動きなどを説明すると興味を示す人が多い。
【０００６】
そこで本発明の発明者は、このような工業製品の一つであるベアリングをストラップと組み合わせ、そのストラップを配布または販売することでその工業製品の認知度を高めることを考えている。
【０００７】
例えばベアリング製造メーカーの営業担当者は、このようなストラップを顧客に配布することで、自社製品をより詳しくアピールできると考えられる。またこのようなストラップを教材として配布することで、その製品の機構や動きなどを深く理解してもらえると考えられる。
【０００８】
ベアリングは、そもそも高い機能美を備えるため、ストラップのアクセサリーとして非常に高い意匠効果を期待できる。しかし販売促進用または教材用として上記ストラップを使用する場合はベアリングに求められるのは意匠効果だけではない。すなわちストラップを手にした者がベアリングの機構や動きをよく理解できることが必要であり、単にベアリングを固定しただけのストラップでは販売促進用または教材用のストラップとして十分ではない。
【０００９】
本発明の目的は、ベアリングの機構や動きが良く分かるベアリング付き携帯品用ストラップを提供することにある。
【課題を解決するための手段】
【００１０】
上記目的を達成するため、本発明の一つの形態に係るベアリング付き携帯品用ストラップは、ストラップ本体と、上記ストラップ本体の一端部に連結された接続紐と、上記ストラップ本体の他端部に対向するとともに互いに相対的に可動な内輪と外輪と複数の転動体とを有するベアリングと、上記ベアリングを上記ストラップ本体に取り付ける取付具とを備える。
【００１１】
上記取付具は、上記内輪が規定する貫通穴に挿通される第１の部分と、上記第１の部分の両端部からそれぞれ上記ストラップ本体を向いて延びるとともに上記ストラップ本体に連結される一対の第２の部分とを有する。上記ベアリングの内輪と上記取付具の第１の部分との間には隙間が形成され、且つ、上記ベアリングの外輪と上記ストラップ本体と間には隙間が形成されている。
【発明の効果】
【００１２】
この構成によれば、ベアリングの本来持つ動きが妨げられずに、内輪、外輪、および転動体の全てを動かすことができる。したがってベアリングの機構や動きがよく分かるベアリング付き携帯品用ストラップが提供される。
【発明を実施するための最良の形態】
【００１３】
以下に本発明の実施の形態を、携帯電話用ストラップに適用した図面に基づいて説明する。  
図１ないし図５は、本発明の第１の実施形態に係るベアリング付き携帯品用ストラップ１（以下、ストラップ１と略）を開示している。図１に示すように、ストラップ１は、ストラップ本体２、接続紐３、ベアリング４、および取付具５を備える。
【００１４】
ストラップ本体２は、例えば合皮で形成された皮部分７と、皮部分７の先端に設けられた金属部分８とを有する。なお皮部分７は、合皮でなく本革で形成されていてもよい。金属部分８は、例えばステンレス鋼で形成されている。なお金属部分８の材質はこれに限らずその種類は問わないが、例えば銅合金、アルミニウム合金などの防錆性を有する材質であれば好ましい。
【００１５】
ストラップ本体２の皮部分７には、例えばそのベアリング４の製造元のロゴマークが付せられている。これによりストラップ１を手にした者に、そのベアリング４とロゴマークとを関連付けて覚えてもらえる。
【００１６】
ストラップ本体２の金属部分８には、アーチ状に形成された取付部９が設けられている。取付部９は、その中央部９ａが金属部分８の端面８ａから離間するとともに、その両端部９ｂが端面８ａに接合されている。これにより取付部９は、金属部分８の端面８ａと協働して閉ループを形成する。
【００１７】
接続紐３は、複数のリング部材１１，１２を介してストラップ本体２の一端部に連結されている。接続紐３の一端は、携帯電話１３に取り付けられる。接続紐３が連結された端部とは反対側のストラップ本体２の端部には、ベアリング４が対向している。
【００１８】
本実施形態に係るベアリング４は、一般に流通する汎用の工業製品としてのベアリングである。ベアリング４の一例は、玉軸受である。なお本発明が適用可能なベアリング４は、玉軸受に限らず、外部から保持されなくてもばらばらに分かれないタイプのベアリングであればその種類は問わず、例えばころ軸受でもよい。
【００１９】
図５に示すように、ベアリング４は、内輪２１と、外輪２２と、その内輪２１と外輪２２との間に介在される複数の転動体２３とを備える。内輪２１と外輪２２と転動体２３とは、互いに相対的に可動である。すなわち内輪２１と外輪２２とは相対的に回転運動できる。転動体２３は、内輪２１と外輪２２との間で公転運動できる。内輪２１は、ベアリング本来の使い方では軸が通される貫通穴２５を規定している。
【００２０】
図５に示すように、ベアリング４は、さらに波型保持器２７を有する。波型保持器２７は、転動体２３の両サイドを取り囲むとともに、複数の転動体２３の間隔を一定に保つ。波型保持器２７は、内輪２１と外輪２２との間の隙間からベアリング４の外部に露出されている。波型保持器２７は、転動体２３に対応する部分が他の部分に対して隆起し、凹凸形状を形成している。この凹凸形状は、ベアリング４の外部から観察することができる。なお波型保持器２７は、本発明に必ずしも必要な構成部品ではなく省略可能である。
【００２１】
ベアリング４の内輪２１、外輪２２、転動体２３、および波型保持器２７は、例えば全てステンレス鋼で形成されている。なお、内輪２１、外輪２２、転動体２３、および波型保持器２７は、例えば銅合金、アルミニウム合金あるいはセラミックスのような防錆性を有するその他の材質で形成してもよい。
【００２２】
図４に示すように、ベアリング４の内輪２１および外輪２２は、それぞれ端面３１を有する。なお本発明でいう端面とは、ベアリング４の径方向に拡がる面のことである。本実施形態に係るベアリング４の外輪２２の端面３１には、製造国のマーク３３、製造元のマーク３４、および製品型番のマーク３５が互いに等間隔で刻印されている。
【００２３】
なおこれらのマーク３３，３４，３５は、外輪２２の端面３１に代えて内輪２１の端面３１に設けられてもよく、その両方に設けても良い。また刻印されるマークの内容はこれらに限らない。マーク３３，３４，３５は少なくとも一つあればよい。なお数字、文字、記号、および図形はいずれも本発明でいう「マーク」に該当する。
【００２４】
図２に示すように、取付具５は、ベアリング４をストラップ本体２に取り付ける。取付具５は、第１の部分４１と一対の第２の部分４２ａ，４２ｂとを有する。第１の部分４１は、ベアリング４の内輪２１が規定する貫通穴２５に挿通されている。一対の第２の部分４２ａ，４２ｂは、それぞれ第１の部分４１の端部からストラップ本体２の取付部９を向いて延びるとともに、取付部９に連結されている。
【００２５】
詳しくは、一対の第２の部分４２ａ，４２ｂの先端は、互いに繋がっている。取付具５の第１および第２の部分４１，４２ａ，４２ｂは協働して閉ループを形成している。ベアリング４を取付具５に取り付ける前は、第１の部分４１は途中で分割されている。第２の部分４２ａ，４２ｂの接続部をストラップ本体２の取付部９と端面８ａとの間に通すとともに、分割された第１の部分４１を貫通穴２５の内側で互いに合わせることで、ベアリング４はストラップ本体２に取り付けられる。  
本実施形態に係る取付具５は、ステンレス鋼で形成されている。なお取付具５は、例えば銅合金、アルミニウム合金のような防錆性を有するその他の材質で形成してもよい。
【００２６】
図３および図４に示すように、ベアリング４の内輪２１の内周面２１ａと取付具５の第１の部分４１との間には、隙間Ｓ１が形成されている。ベアリング４の外輪２２の外周面２２ａとストラップ本体２の取付部９との間には、隙間Ｓ２が形成されている。換言すれば、ベアリング４を回転させられるように、取付具５とベアリング４との間、およびストラップ本体２とベアリング４との間には所定の隙間が設けられている。またベアリング４の形状が分かりやすいように、ベアリング４は取付具５に固定されずに動かせるようになっている。
【００２７】
次に、ストラップ１の機能について説明する。  
ベアリング４は、内輪２１および外輪２２が共に取付具５に固定されておらず、内輪２１および外輪２２は、互いに相対的に回転可能である。ここで玉軸受の内輪２１、外輪２２、転動体２３、および保持器２７の運動には、（式１）に示す相対的な関係がある。
【数１】
2008161483.tif 000003
【００２８】
（式１）中で、ｎｄは保持器２７の回転速度（すなわち転動体２３の公転速度）、ｄは転動体２３の直径、ｄｍは転動体中心の直径（すなわちベアリング４のＰＣＤ）、αは接触角（すなわち内輪２１の接触点と外輪２２の接触点とを結んだ直線がベアリング４の径方向に対してなす角度）、ｎは内輪２１または外輪２２の回転速度である。また、（式１）中の括弧内の−は内輪回転の場合、＋は外輪回転の場合を示す。
【００２９】
（式１）から分かるように、例えばベアリング４にアキシャル荷重を掛けながら内輪２１を回転させた場合、アキシャル荷重が大きくなるとαが大きくなり（すなわちｃｏｓαが小さくなり）、保持器２７の回転速度が速くなる。一方、ベアリング４にアキシャル荷重を掛けながら外輪２２を回転させた場合、アキシャル荷重が大きくなるとαが大きくなり保持器２７の回転速度が遅くなる。このように、例えば玉軸受のベアリング４の場合、例え外輪２２または内輪２１の回転速度を変えなくても、アキシャル荷重の大きさによって保持器２７の回転速度が異なる。
【００３０】
このような構成のストラップ１によれば、ベアリング４の本来持つ動きが妨げられずに、内輪２１、外輪２２、および転動体２３の全てを動かすことができる。したがって汎用ベアリング４の機構や動きがよく分かるベアリング付き携帯品用ストラップ１を得ることができる。
【００３１】
すなわち、ベアリング４の内輪２１と取付具５の第１の部分４１との間に隙間Ｓ１が形成され、且つ、ベアリング４の外輪２２とストラップ本体２と間には隙間Ｓ２が形成されていると、内輪２１、外輪２２、転動体２３はそれぞれその動きが妨げられずに、一般に装置の中で使用されるときと同じ動きをすることができる。
【００３２】
ストラップ１を手にした者は、波型保持器２７の動きから転動体２３の動きをみることができる。すなわちストラップ１を手にした者は、内輪２１および外輪２２を自ら回転させてみることで、内輪２１、外輪２２、および転動体２３の相対的な動きを体感することができる。これにより、汎用ベアリング４の機構や動きをより深く理解することができる。
【００３３】
ベアリング４が保持器を備えていないと、複数の転動体２３が一定の間隔で並ばず、転動体２３の公転速度などを観察するのが容易でない場合もある。本実施形態のようにベアリング４が保持器２７を備えていると、保持器２７の回転速度を転動体２３の公転速度と見做すことができるので、転動体２３の公転速度を容易に観察することができる。また保持器２７を有すると転動体２３が一定の間隔で並ぶので、アクセサリーとしてのベアリング４の見栄えが向上する。
【００３４】
ベアリング４の内輪２１および外輪２２の少なくともいずれか一方の端面３１に、少なくとも一つのマーク３３，３４，３５が刻印されていると、ストラップ１を手にした者はそのマーク３３，３４，３５を起点として利用することで、例えば外輪２２と保持器２７との相対速度、または内輪２１と保持器２７との相対速度をより分かりやすく体感することができる。なお計算機能を有する携帯電話や電卓にこのようなストラップ１が取り付けられていると、（式１）に基づいて内輪２１や保持器２７の回転速度を計算するとともに、その計算結果と実際のベアリング４の動きとをすぐに見比べることができるので好ましい。
【００３５】
例えばストラップ１を販売促進用として使用する場合に、ベアリング４に記載されている製品型番の番号などを一つのＩＤ番号として利用することができる。その一例としては、例えば営業担当者が新規顧客にこのストラップ１を渡すとともに、営業担当者の連絡先電話番号を顧客側の電話機にこの製品型番と同じ番号で短縮ダイアルなどを登録してもらう。
【００３６】
これにより顧客はストラップ１を見ることで、例えば登録番号の一覧を照会することなく、営業担当者への短縮ダイアルをすぐに掛けることができる。このように本実施形態のように製品型番などのマーク３５が記載された汎用ベアリング４を用いることで、顧客とのコミュニケーションを促進するＩＤ番号付きのストラップ１を得ることができる。
【００３７】
このようなＩＤ番号としての利用は、販売促進用に限られず、例えばストラップ１を一般にプレゼント用の贈り物として用いる場合にも適用できる。また、マーク３３として製造国、マーク３４として製造元を刻印することにより、出所表示機能および品質保証機能を有し、模倣品と区別することが容易となる。
【００３８】
ベアリング４に防錆剤を塗布すると手が汚れることがある。本実施形態に係るストラップ１は、ベアリング４の内輪２１、外輪２２、転動体２３、および保持器２７、並びに取付具５、ストラップ本体２の金属部分８が全てステンレス鋼のような防錆性を有する材質で形成されている。したがって長期間に亘り、錆びずによく回転するベアリング４を備えるストラップ１が提供される。またステンレス鋼のベアリング４は、他の防錆性金属のベアリングに比べて生産性が良いので好ましい。
【００３９】
ベアリング４は貫通穴２５を有するので、例えばこの貫通穴２５をフックなどに掛けることで、非携帯時にその携帯品を吊り下げておくことができる。またこの貫通穴２５に対応する留め金をシャツやズボンに設けることで、携帯品の落下防止を図ることができる。金属性のベアリング４を保持するストラップ本体２に皮部分７を設けることで、全体として手になじみやすいストラップ１を得ることができる。
【００４０】
次に、本発明の第２の実施形態に係るベアリング付き携帯品用ストラップ５１を、図６ないし図９を参照して説明する。なお第１の実施形態に係るストラップ１と同じ機能を有する構成は、同一の符号を付してその説明を省略する。図６に示すように、ストラップ５１は、ストラップ本体５２、接続紐３、ベアリング４、および取付具５３を備える。ストラップ本体５２は、例えば本革で形成されている。
【００４１】
取付具５３は、ベアリング４をストラップ本体５２に取り付ける。取付具５３は、第１の部分５５と一対の第２の部分５６ａ，５６ｂとを有する。取付具５３は、先細のＵ字形に形成されている。第１の部分５５は、ベアリング４の内輪２１が規定する貫通穴２５に挿通されている。一対の第２の部分５６ａ，５６ｂは、それぞれ第１の部分５５の端部からストラップ本体５２を向いて延びるとともに、ストラップ本体５２に連結されている。
【００４２】
詳しくは、一対の第２の部分５６ａ，５６ｂは、それぞれ外側からストラップ本体５２に対向している。図７に示すように、一方の第２の部分５６ａには、段付き貫通孔６１が開口している。他方の第２の部分５６ｂには、雌螺子６２が形成されている。図８に示すように、第２の部分５６ａ，５６ｂに対向するストラップ本体５２の領域には、貫通孔６３が形成されている。
【００４３】
図７および図８に示すように本実施形態に係るストラップ５１は、ビス６５を有する。ビス６５は、取付具５３をストラップ本体５２に固定する固定部材の一例である。ビス６５は、一方の第２の部分５６ａの段付き貫通孔６１に挿入され、ストラップ本体５２を貫通するとともに、他方の第２の部分５６ｂの雌螺子６２に係合する。
【００４４】
これにより、ビス６５は、一対の第２の部分５６ａ，５６ｂを互いに連結する。ビス６５が第２の部分５６ａ，５６ｂを互いに連結することで、取付具５３はストラップ本体５２に連結される。取付具５３は、ストラップ本体５２に対して回動自在である。ビス６５に貫通されるストラップ本体５２の領域には、はとめ６６が設けられている。はとめ６６は、ストラップ本体５２の貫通孔６３に設けられる。ビス６５は、はとめ６６に挿通される。
【００４５】
本実施形態に係る取付具５３は、ステンレス鋼で形成されている。なお取付具５３は、例えば銅合金、アルミニウム合金のような防錆性を有するその他の材質で形成してもよい。
【００４６】
図８および図９に示すように、ベアリング４の内輪２１の内周面２１ａと取付具５３の第１の部分５５との間には、隙間Ｓ１が形成されている。ベアリング４の外輪２２の外周面２２ａとストラップ本体５２との間には、隙間Ｓ２が形成されている。換言すれば、ベアリング４を回転させられるように、取付具５３とベアリング４との間、およびストラップ本体５２とベアリング４との間には所定の隙間が設けられている。またベアリング４の形状が分かりやすいように、ベアリング４は取付具５３に固定されずに動かせるようになっている。
【００４７】
このような構成のストラップ５１によれば、ベアリング４の本来持つ動きが妨げられずに、内輪２１、外輪２２、および転動体２３の全てを動かすことができる。したがって汎用ベアリング４の機構や動きがよく分かるベアリング付き携帯品用ストラップ５１を得ることができる。
【００４８】
すなわち、ベアリング４の内輪２１と取付具５３の第１の部分５５との間に隙間Ｓ１が形成され、且つ、ベアリング４の外輪２２とストラップ本体５２と間には隙間Ｓ２が形成されていると、内輪２１、外輪２２、転動体２３はそれぞれその動きが妨げられずに、一般に装置の中で使用されるときと同じ動きをすることができる。したがって第１の実施形態と同様に、汎用ベアリング４の機構や動きをより深く理解することができる。
【００４９】
ベアリング４が保持器２７を備えていると、転動体２３の公転速度を容易に観察することができる。ベアリング４の内輪２１および外輪２２の少なくともいずれか一方の端面３１に、少なくとも一つのマーク３３，３４，３５が刻印されていると、例えば外輪２２と保持器２７との相対速度、または内輪２１と保持器２７との相対速度をより分かりやすく体感することができる。
【００５０】
さらに本実施形態に係るストラップ５１によれば、第１の実施形態の効果に加えて次のような効果がある。  
本実施形態に係る取付具５３にはベアリング４に対向する領域につなぎ目が無いので、ベアリング４が取付具５３から外れにくい。
【００５１】
取付具５３はビス６５によりストラップ本体５２に対して強固に連結されているので、取付具５３がストラップ本体５２から外れることもほとんどない。これらにより長持ちするストラップ５１を提供することができる。
【００５２】
さらにビス６５が通る部分にはとめ６６が設けられていると、取付具５３が本革で形成されたストラップ本体５２に直接接触しないので、取付具５３がストラップ本体５２に対して回動されても、ストラップ本体５２が損傷しにくい。またはとめ６６が設けられていると、ストラップ本体５２に対する取付具５３の回動が滑らかとなる。  
ストラップ本体５２が本革で形成されていると、ストラップ本体５２が劣化しにくいので長期間に亘り使用することができるストラップ５１を提供することができる。
【００５３】
次に、本発明の第３の実施形態に係るベアリング付き携帯品用ストラップ７１を、図１０を参照して説明する。なお第１および第２の実施形態に係るストラップ１，５１と同じ機能を有する構成は、同一の符号を付してその説明を省略する。ストラップ７１は、ストラップ本体５２、接続紐３、ベアリング４、および取付具５３を備える。
【００５４】
本実施形態に係るストラップ７１は、第２の実施形態に係るビス６５に代えて、取付具５３をストラップ本体５２に固定する固定部材７２を有する。固定部材７２は、一方の第２の部分５６ａの段付き貫通孔６１に挿入され、ストラップ本体５２を貫通するとともに、他方の第２の部分５６ｂの貫通孔７３に挿入される。固定部材７２は、取付具５３にかしめられる。すなわち固定部材７２は、第２の部分５６ｂの貫通孔７３に嵌合される。
【００５５】
このような構成のストラップ７１によれば、第２の実施形態と同様に、汎用ベアリング４の機構や動きがよく分かるベアリング付き携帯品用ストラップ７１を得ることができる。
【００５６】
次に、本発明の第４の実施形態に係るベアリング付き携帯品用ストラップ８１を、図１１および図１２を参照して説明する。なお第１および第２の実施形態に係るストラップ１，５１と同じ機能を有する構成は、同一の符号を付してその説明を省略する。ストラップ８１は、ストラップ本体５２、接続紐３、ベアリング８２、および取付具５３を備える。
【００５７】
本実施形態に係るベアリング８２は、波型保持器２７に代えて、冠型保持器８３を備える（図１２参照）。冠型保持器８３は、環状に形成された保持器基部の周方向に所定の間隔をおいて半円状のポケットが開口している。冠型保持器８３は、複数の転動体２３の間隔を一定に保つ。
【００５８】
図１１に示すように、冠型保持器８３は、転動体２３を一方の側面から保持する。すなわち冠型保持器８３を備えるベアリング８２によれば、内輪２１と外輪２２との間から転動体２３がベアリング８２の外部に露出される。すなわちストラップ８１を手にした者は、転動体２３の動きを直接観察することができる。
【００５９】
このような構成のストラップ８１によれば、第２の実施形態と同様に、汎用ベアリング８２の機構や動きがよく分かるベアリング付き携帯品用ストラップ８１を得ることができる。  
ストラップ８１が冠型保持器８３を備えると、ストラップ８１を手にした者は転動体２３の動きを直接観察することができるので、ベアリング８２の機構や動きをより深く理解することができる。
【００６０】
次に、本発明の第５の実施形態に係るベアリング付き携帯品用ストラップ９１を、図１３を参照して説明する。なお第１および第２の実施形態に係るストラップ１，５１と同じ機能を有する構成は、同一の符号を付してその説明を省略する。ストラップ９１は、ストラップ本体５２、接続紐３、ベアリング９２、および取付具５３を備える。
【００６１】
本実施形態に係るベアリング９２では、内輪２１、外輪２２、転動体２３、保持器２７の全部または一部が強化プラスチックで形成されている。この場合、内輪２１、外輪２２、保持器２７の全部または一部を透光性を有する材質（例えば透明な強化プラスチック）で形成すると、ベアリング９２の外部から転動体２３の動きを観察することができる。
【００６２】
このような構成のストラップ９１によれば、第２の実施形態と同様に、汎用ベアリング９２の機構や動きがよく分かるベアリング付き携帯品用ストラップ９１を得ることができる。  
ベアリング９２の少なくとも一部が透光性を有する材質で形成されていると、ベアリング９２の外部から転動体２３の動きを観察することができるので、ベアリング９２の機構や動きをより深く理解することができる。
【００６３】
以上、第１ないし第５の実施形態に係る携帯品用ストラップ１，５１，７１，８１，９１について説明したが、本発明はもちろんこれらに限定されない。第１ないし第５の実施形態に係る各構成要素は適宜組み合わせて適用することができる。
【００６４】
なお、ベアリング４，８２，９２、取付具５，５３、およびストラップ本体２の金属部分８は、防錆性を有する材質で形成するのに代えて、例えば各種めっき処理や黒染処理（すなわち四酸化三鉄の皮膜形成）などの防錆性の表面処理を行った軸受鋼を用いてもよい。なお上記めっき処理には、金めっき、亜鉛めっき、またはニッケルめっきを含む。めっき処理や黒染処理は表面の外観をめっきの色彩とすることができるので、美観を出すことができる。
【００６５】
図１４に示すように、例えば取付具５３の取付部端面の角５４にアール面取りを施したり、取付部端面を連続した曲面としてもよい。取付部９に面取りを施すことで、ストラップ本体５２からベアリング４に亘る領域の全体をソフトな手触りにすることができる。なお、本発明の携帯品用ストラップ１，５１，７１，８１，９１は、携帯電話用のストラップに限らず、例えばカメラ、電卓、電子辞書、またはＰＤＡ（パーソナルデジタルアシスタント）などを含む種々の携帯品に取り付けられる。
【図面の簡単な説明】
【００６６】
【図１】本発明の第１の実施形態に係るストラップの斜視図。
【図２】第１の実施形態に係るストラップの取付具回りを拡大して示す斜視図。
【図３】第１の実施形態に係るストラップの断面図。
【図４】図３中に示されたストラップのＦ４−Ｆ４線に沿う断面図。
【図５】第１の実施形態に係るベアリングを一部断面で示す斜視図。
【図６】本発明の第２の実施形態に係るストラップの斜視図。
【図７】第２の実施形態に係るストラップの取付具回りを分解して示す斜視図。
【図８】第２の実施形態に係るストラップの断面図。
【図９】図８中に示されたストラップのＦ９−Ｆ９線に沿う断面図。
【図１０】本発明の第３の実施形態に係るストラップの断面図。
【図１１】本発明の第４の実施形態に係るストラップの断面図。
【図１２】第４の実施形態に係る冠型保持器の斜視図。
【図１３】本発明の第５の実施形態に係るストラップの斜視図。
【図１４】本発明の別の形態に係るストラップの斜視図。
【符号の説明】
【００６７】
Ｓ１，Ｓ２…隙間、１，５１，７１，８１，９１…携帯品用ストラップ、２，５２…ストラップ本体、３…接続紐、４，８２，９２…ベアリング、５，５３…取付具、１３…携帯電話、２１…内輪、２２…外輪、２３…転動体、２７，８３…保持器、３１…端面、３３，３４，３５…マーク、４１，５５…第１の部分、４２ａ，４２ｂ，５６ａ，５６ｂ…第２の部分、６５…ビス、６６…はとめ。
【図１】
2008161483.tif 000004
【図２】
2008161483.tif 000005
【図３】
2008161483.tif 000006
【図４】
2008161483.tif 000007
【図５】
2008161483.tif 000008
【図６】
2008161483.tif 000009
【図７】
2008161483.tif 000010
【図８】
2008161483.tif 000011
【図９】
2008161483.tif 000012
【図１０】
2008161483.tif 000013
【図１１】
2008161483.tif 000014
【図１２】
2008161483.tif 000015
【図１３】
2008161483.tif 000016
【図１４】
2008161483.tif 000017